(57)【要約】  【課題】  表示装置の周辺から電子機器の筐体内部への水等の浸入の虞がなく、しかも表示装置の筐体への取り付けが容易で目的に合わせた表示を後付け可能な電子機器を提案する。  【解決手段】  ユーザに対して各種情報を表示する表示装置Ｄが筐体１ａの表面に設けられた電子機器１において、表示装置Ｄは、ＲＦＩＤタグ１１０及びＲＦＩＤタグ１１０に入力された情報を表示する表示部７２を有する情報媒体１００と、ＲＦＩＤタグ１１０に対して非接触に通信を行う通信部１８０とからなると共に、情報媒体１００は筐体１ａの表面或いは近傍に、通信部１８０は筐体１ａの内部に配置される。  【選択図】  図７
2006134234.tif 000002
【特許請求の範囲】
【請求項１】
ユーザに対して各種情報を表示する表示装置が筐体の表面に設けられた電子機器において、
前記表示装置は、ＲＦＩＤタグ及び前記ＲＦＩＤタグに入力された情報を表示する表示部を有する情報媒体と、前記ＲＦＩＤタグに対して非接触に通信を行う通信部と、からなると共に、
前記情報媒体は前記筐体の表面或いは近傍に、前記通信部は前記筐体の内部に配置されることを特徴とする電子機器。
【請求項２】
前記表示部は、電気泳動表示デバイスからなることを特徴とする請求項１に記載の電子機器。
【請求項３】
前記情報媒体は、可撓性を備え、前記筐体に密着して貼付されることを特徴とする請求項１又は請求項２に記載の電子機器。
【請求項４】
前記ＲＦＩＤタグには、前記電子機器に関する情報が格納されることを特徴とする請求項１から請求項３のうちいずれか一項に記載の電子機器。
【発明の詳細な説明】
【技術分野】
【０００１】
本発明は、ユーザに対して各種情報を表示する表示装置を筐体表面に備える電子機器に関する。
【背景技術】
【０００２】
各種電子機器では、ユーザインタフェイス（user interface）として、電子機器の筐体にユーザに対して操作手順や警告情報等の各種情報を表示する表示装置が設けられている。表示装置としては、例えば液晶表示装置やＬＥＤ（Light Emitting Diode）等が用いられている。
このような表示装置は、電子機器の筐体表面に一体的に配置されるように、筐体に設けられた開口部に埋め込まれるように取り付けられている。そして、表示装置の裏面側（筐体内部側）から筐体内部に収容された制御基板５０にケーブルを介して接続されている。
そして、例えば、水際において使用される電子機器においては、表示装置を埋め込んだ開口部から筐体内部に水等が浸入しないように防水対策を施している。また、水際において使用されることのない電子機器においても、ユーザの使用形態によっては開口部から筐体内部に水等が浸入する虞があるので防滴対策を施すことが一般的であるが、完全な防滴対策を施すまでには至っていない。
【特許文献１】特開２００４−１５７２４０号公報
【発明の開示】
【発明が解決しようとする課題】
【０００３】
従来の電子機器における防水・防滴技術では、表示装置を埋め込んだ開口部に、開口部外周全てをシートで覆う構造を用いて水等の筐体内への浸入を防止している。
しかしながら、電子機器の筐体には、フェノール樹脂等の可塑性樹脂（プラスチック）が用いられているため、筐体が変形しやすく、開口部からの水等の筐体内への浸入を完全に防止することは困難である。
また、防水・防滴対策が不要な場合であっても、筐体に開口部を設け、この開口部に表示装置を嵌め込み、更に表示装置と制御基板とをケーブルで接続する必要があるので、製造作業が煩雑になりやすいという問題がある。
【０００４】
本発明は、上述した事情に鑑みてなされたもので、表示装置の周辺から電子機器の筐体内部への水等の浸入の虞がなく、しかも表示装置の筐体への取り付けが容易で目的に合わせた表示を後付け可能な電子機器を提案することを目的とする。
【課題を解決するための手段】
【０００５】
本発明に係る電子機器では、上記課題を解決するために以下の手段を採用した。
本発明は、ユーザに対して各種情報を表示する表示装置が筐体の表面に設けられた電子機器において、表示装置は、ＲＦＩＤタグ及びＲＦＩＤタグに入力された情報を表示する表示部を有する情報媒体と、ＲＦＩＤタグに対して非接触に通信を行う通信部と、からなると共に、情報媒体は筐体の表面或いは近傍に、通信部は筐体の内部に配置されるようにした。
この発明によれば、表示装置を電子機器の筐体に取り付けるための開口部を筐体に設ける必要がなくなるので、防水・防滴性を向上させることができる。
【０００６】
表示部としては、電気泳動表示デバイスを用いることにより、情報媒体をフレキシブルに一体に形成することが可能となる。
また、表示部を有する情報媒体が、可撓性を備え、筐体に密着して貼付されるものでは、筐体への貼り付けの自由度が増すと共に、情報媒体の貼り付け位置を所定の範囲内で自由に選択可能となるので、意匠性も向上する。また、ユーザの好みに応じて情報媒体の位置を設定することも可能となる。
また、ＲＦＩＤタグには、電子機器の製造番号や型式等の情報を格納することにより、外部のリーダライタを用いて電子機器が非動作でも電子機器の保守等に情報を活用することが可能となる。
【発明を実施するための最良の形態】
【０００７】
以下、本発明の電子機器の実施形態について、スキャナ付きインクジェットプリンタを例にとり、図を参照して説明する。
図１〜図３は、スキャナ付きインクジェットプリンタの外観を示した斜視図を示している。
スキャナ付きインクジェットプリンタ（以下、ＳＰＣ複合装置１という）は、原稿から画像を読み取って画像データを生成するスキャナ機能と、ホストコンピュータから送られてきた印刷データに基づき印刷媒体に印刷をするプリンタ機能と、原稿から読み取った画像を印刷媒体に印刷して複写するローカルコピー機能とを備えたスキャナ・プリンタ・コピー複合装置である。
ＳＰＣ複合装置１は、図１に示すように、その上部に原稿５から画像を読み取るためのスキャナ部１０を備え、また、その下部に、用紙７に印刷をするためのプリンタ部３０を備えている。また装置１の前面部には、操作パネル部７０が設けられている。
【０００８】
スキャナ部１０は、図２に示すように、原稿５がセットされるガラス板が設けられた原稿台１２と、当該原稿台１２を上方から覆う原稿台カバー１４とを備えている。原稿台カバー１４は、装置１の後端部に回動可能に取り付けられ、原稿台１２の上面を開閉するように設けられている。
【０００９】
一方、プリンタ部３０は、図３に示すように、スキャナ部１０を上方に持ち上げることによって、その内部が開口部８１を通じて外部に開放されるように構成されている。つまり、スキャナ部１０は、装置１の後部にヒンジ部４１を介して回動自在に装着されており、このスキャナ部１０を上方へと持ち上げることで、プリンタ部３０の内部に通じる開口部８１が開放される。
プリンタ部３０の内部には、インクカートリッジを搭載するキャリッジ３６などが配置されている。このようにプリンタ部３０の内部が開放されることにより、その開口部８１を通じてインクカートリッジの交換等のメンテナンス作業や、紙詰まり等のエラー対処等を容易に行うことができるようになっている。
【００１０】
また、プリンタ部３０は、装置１の背部に、印刷媒体として用紙７がセットされて当該用紙７を順次供給する給紙部３２を備えているとともに、装置１の前部に、印刷された用紙７が排出される排紙部３４を備えている。給紙部３２は、給紙トレー８２を備え、給紙トレー８２にカット紙（不図示）を保持するようになっている。
また、排紙部３４は、排紙トレー８３を備え、印刷されて排出された用紙７を受けるとともに、不使用時には排紙口を塞ぐことができる。なお、給紙部３２にセットされる媒体としては、カット紙などの単票状印刷用紙のみならず、ロール紙などの連続した印刷用紙でも構わず、給紙部３２がこれらの媒体に対応した構造を備えていても良い。
【００１１】
図４は、ＳＰＣ複合装置１の操作パネル部７０を示したものである。
操作パネル部７０には、表示部としてディスプレイ７２と、その周りに大小複数の操作ボタン７６とが設けられている。ディスプレイ７２は、設定項目や設定状態、また動作状態など、各種情報が表示されるようになっている。
【００１２】
操作パネル部７０のうち、ディスプレイ７２は、操作パネル部７０上に貼り付けられている。すなわち、ディスプレイ７２は、可撓性を備えるラベル１００として一体的に形成された部材であって、操作パネル部７０とディスプレイ７２とはケーブルレスに設置されている。つまり、ディスプレイ７２は、ＳＰＣ複合装置１の筐体１ａ或いは操作パネル部７０に開口を設けて、その開口に嵌め込まれたものではない。したがって、ディスプレイ７２を剥がした場合には、ＳＰＣ複合装置１の筐体１ａ或いは操作パネル部７０が露出するだけであって、筐体１ａ内部が露出することはない。
そして、ＳＰＣ複合装置１の筐体１ａ内部におけるディスプレイ７２の近傍には、ラベル１００と非接触に通信可能なリーダライタ１８０が配置される。つまり、ディスプレイ７２とリーダライタ１８０とは、所定の周波数の電磁波により非接触に通信可能である。
なお、リーダライタ１８０は、ＳＰＣ複合装置１の動作を制御する制御基板５０にケーブルを介して接続される。
【００１３】
図５は、ラベル１００を示す平面断面図である。図６は、ディスプレイ７２（ＥＰＤ１４０）の断面を示す断面図である。
ラベル１００は、ＲＦＩＤ（Radio Frequency Identification）１１０と、ディスプレイ７２とを備えて構成される。ＲＦＩＤ１１０は、いわゆるＩＣタグであって、上述したリーダライタ１８０と非接触に通信して情報交換を行うものである。
ＲＦＩＤ１１０は、図５に示すように、ＩＣチップ１２０と、アンテナ１３０とを備える。ＩＣチップ１２０は、ＩＣチップ１２０内に演算処理部１２１と記憶部１２２と送受信部１２３を備えており、更に、当該ＩＣチップ１２０に電力を供給する電源部１２４を備えている。そして、演算処理部１２１からの指令に基づいて、送受信部１２３を介して得た情報を記憶部１２２に記憶すると共に、その情報に関する所望の文字、数字或いは記号を後述するディスプレイ７２（ＥＰＤ１４０）に送信し、その情報表示させる。
また、アンテナ１３０は、ＲＦＩＤ１１０と後述するリーダライタ１８０との間で情報の入出力や送受信（通信）を行うためのものである。そして、アンテナ１３０は、ＲＦＩＤ１１０のＩＣチップ１２０の送受信部１２３に接続されており、リーダライタ１８０とＲＦＩＤ１１０との間で入出力信号を非接触に送受信するようになっている。
【００１４】
ディスプレイ７２は、電気泳動表示デバイス（Electrophoretic Display、以下、ＥＰＤ１４０と称する。）からなる。
ＥＰＤ１４０は、図６に示すように、可撓性を有するプラスチック基材２００上に、電極フィルム２１１ｄ、電気泳動表示層２１１ｃ、電極フィルム２１１ｂ及びこの表示部を保護する表面保護層２１１ａが積層されて構成されている。なお、表面保護層２１１ａは省略することも可能である。
【００１５】
電極フィルム２１１ｂは、ポリエチレンテレフタレート（ＰＥＴ）、ポリエチレンナフタレート（ＰＥＮ）、ポリイミド等の寸法安定性の優れた透明なプラスチックフィルムに電極が形成されているものである。電極フィルム２１１ｄも同様な基材の電極が形成されてなるものであるが、必ずしも透明性は要求されない。なお、電極フィルム２１１ｂと電極フィルム２１１ｄとは、上下動通電極２１１ｆにより導通される。
電極フィルム２１１ｂは、全面に同一の電位がかかる共通電極となり、一方、電極フィルム２１１ｄにはアクティブマトリックス電極或いはセグメント電極等が形成されて駆動電極となる。
【００１６】
電気泳動表示層２１１ｃを形成するマイクロカプセル２１１は、アラビアガム・ゼラチンの複合膜、ウレタン樹脂、ウレア樹脂、尿素樹脂等をカプセル殻とし、カプセル殻の作製方法としては、界面重合法、ｉｎ−ｓｉｔｕ重合法、相分離法、界面沈殿法、スプレードライング法、等の公知のマイクロカプセル化手法を採用することができる。内部には泳動粒子と分散媒が封入される。
泳動粒子としては有機あるいは無機の粒子（高分子あるいはコロイド）が用いられる。たとえば、アニリンブラック、カーボンブラック等の黒色顔料、二酸化チタン、亜鉛華、三酸化アンチモン等の白色顔料、モノアゾ、ジイスアゾン、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等の１種又は２種以上を用いることができる。分散媒としては無色または染料により染色された水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独又はこれらの混合物に界面活性剤等を配合したものを用いることができる。
【００１７】
電気泳動は、電気泳動粒子は予め正または負に帯電させられており、また、分散媒と電気泳動粒子とは、互いに異なる着色がなされている。例えば白の粒子である酸化チタンを正電荷に、一方黒の粒子であるカーボンブラックを負電荷にした場合、二つの電極フィルム２１１ｂ，２１１ｄに電界を印加して、電極フィルム２１１ｂが負極、電極フィルム２１１ｄが正極になると、正に帯電した白の粒子が電極フィルム２１１ｂ側に引かれ、黒の粒子が電極フィルム２１１ｄ側に引かれるので、電極フィルム２１１ｂを透明電極としておくことにより、電極フィルム２１１ｂ側の上方から観察すると、その部分が白く見えるようになる。逆に、電極フィルム２１１ｂが正極、電極フィルム２１１ｄが負極になった場合には、正に帯電した白の粒子が電極フィルム２１１ｄ側に引かれ、黒の粒子が電極フィルム２１１ｂ側に引かれるので、電極フィルム２１１ｂの上方から観察するとその部分が黒く見える。
【００１８】
ＥＰＤ１４０は、上述したマイクロカプセル２１１を多数有しているので、電極フィルム２１１ｂ，２１１ｄの各アドレス電極の電界を制御することで、所望の文字、数字、或いは記号を白と黒の画素で表示させることが可能となっている。
なお、マイクロカプセル２１１をアクティブマトリックス駆動法で駆動する場合は、電極フィルム２１１ｄは画素電極として画素毎に独立してパターニングされ、不図示の薄膜トランジスタ、信号電極、および走査電極を併設し、電極フィルム２１１ｂは光透過性基材上に一様に形成された透明な共通電極とする。この場合、電極フィルム２１１ｂを共通電極にすると全面同一電位になるので（例えば電位をゼロとする）、電極フィルム２１１ｄ側の各アドレス電極の電界を制御（正または負の電位を与える）することで、上述した原理に基づき電極位置のマイクロカプセル２１１内の粒子を移動させ、所望の画像を表示させることができる。同様に、電極フィルム２１１ｄを共通電極とし、電極フィルム２１１ｂ側の各アドレス電極の電界を制御することで、電極位置のマイクロカプセル２１１内の粒子を移動させることで所望の画像を表示させるようにしてもよい。
時分割駆動の場合は、電極フィルム２１１ｂ、２１１ｄは互いに直交するライン状のＩＴＯ（Indium Tin Oxide：インジウム錫酸化物）等の透明導電体からなる透明電極により構成され、両電極の交わる領域にマイクロカプセル２１１を配置する。
駆動方式は上述したものに限定されず、用途に応じて最適なものを選択すればよい。また、マイクロカプセル２１１の径は、種々のものを採用することが可能である。
このようなＥＰＤ１４０は、表示画像を記憶するメモリ性を有している。具体的には、電極フィルム２１１ｂ，２１１ｄの間に電圧を一度付与するだけで、ＥＰＤ１４０の画像は保持され、電圧が付与されていない状態で表示画像が残るようになっている。従って、一度表示した画像を電源が切れても保持するという特性を有し、低消費電力が実現可能となっている。
【００１９】
ＥＰＤ１４０においては、薄膜トランジスタを利用することにより電気泳動表示層２１１ｃに電圧を付与している。このような薄膜トランジスタは、ＳＵＦＴＬＡ（Surface Free Technology by Laser Ablation、登録商標）等の剥離転写技術によりプラスチック基材２００に形成されたものである。具体的には、耐熱性に優れ、透明性を有する、例えばガラス基板上に低温ポリシリコンＴＦＴを予め形成し、その後、レーザー照射によって所定の薄膜トランジスタを剥離し、当該薄膜トランジスタをプラスチック基材２００上に転写して形成するものである。このような技術を用いることにより、従来まではガラス基板のような硬くて耐熱性を有する基板のみにしか形成することができなかった薄膜トランジスタを、例えばガラス基板よりも耐熱性が劣るような、プラスチック板に転写形成することが可能となる。
従って、柔軟性を有するプラスチック基材２００等に容易に薄膜トランジスタを形成することが可能となり、ＥＰＤ１４０を備えると共に可撓性を有するＲＦＩＤ１１０が実現可能となる。
【００２０】
上述したＲＦＩＤ１１０（ＩＣチップ１２０、アンテナ１３０）、ＥＰＤ１４０は、配線電極とともに可撓性を有するカバーフィルムで挟んで保持される。更に、複数枚の透明な保護フィルム等に挟んで保持されることによりラベル１００が構成される。
保護フィルムとしては、有色または無色透明なプラスチック、例えばポリビニルカーボネート（ＰＶＣ）や耐熱性ＰＶＣ、非結晶性ポリエステル樹脂（ＰＥＴ−Ｇ）、ポリエチレンテレフタレート（ＰＥＴ）等が使用できる。保護フィルム上には、印刷を行っても良い。保護フィルムに反射防止や防湿、耐引っ掻き性等の機能を付与しても良い。
【００２１】
そして、ラベル１００は、上述したＳＰＣ複合装置１の筐体１ａの表面に容易に引き剥がしができないように貼り付けられる。なお、筐体１ａの表面形状が曲面であったとしても、ラベル１００は可撓性を有するので、密着して貼り付けられる。
【００２２】
図７は、ＳＰＣ複合装置１の断面図であって、ラベル１００及びリーダライタ１８０の配置を示す図である。
ラベル１００のＲＦＩＤ１１０に対して所定の情報を非接触に入出力するリーダライタ１８０は、ＳＰＣ複合装置１の筐体１ａ内に配置された制御基板５０にケーブルを介して接続される。
リーダライタ１８０は、アンテナ等を備える。アンテナは、ＲＦＩＤ１１０に対して電磁的に入出力信号を送受信するものである。すなわち、制御基板５０からリーダライタ１８０に対して各種情報が入出力されると、その情報をアンテナからＲＦＩＤ１１０に対して送受信するようになっている。
【００２３】
上述したリーダライタ１８０は、ＲＦＩＤ１１０が表面に貼り付けられた位置の近傍の筐体１ａ内に設置される。例えば、交信周波数として、４．９２ＧＨｚ帯域（密着型）、１３．５６ＭＨｚ帯域（近接型）等を用いることができる。ラベル１００のＲＦＩＤ１１０とリーダライタ１８０とが通信可能な範囲内で、ラベル１００或いはリーダライタ１８０の設置位置を変更することが可能である。更に、例えば１２５ｋＨｚ以下（近傍型）の周波数を用いることにより、ラベル１００とリーダライタ１８０とを約１ｍ程度まで離隔して設置することが可能となるので、ラベル１００をＳＰＣ複合装置１の筐体１ａの任意の場所に貼り付けることが可能となる。
【００２４】
このように、本実施形態のＳＰＣ複合装置１によれば、ユーザに各種情報を表示するディスプレイ７２がＲＦＩＤ１１０を有するラベル１００として形成されているので、リーダライタ１８０との通信が可能な範囲内であれば、任意の場所に配置することができる。したがって、ディスプレイ７２の配置位置が画一的なデザインを、ユーザの好みに応じて変更することができるので、商品価値が向上する。例えば、ＳＰＣ複合装置１の使用態様に応じてディスプレイ７２を視認性がよい場所に配置（貼付）するも可能である。
そして、ディスプレイ７２と筐体１ａ内部の制御装置とが、ケーブルレス（ワイヤレス）で接続されているので、ディスプレイ７２を埋め込んだり、ワイヤ等を通したりするための開口部等を筐体１ａに設ける必要がなくなり、ＳＰＣ複合装置１の防水、防滴性能が向上する。
また、ディスプレイ７２を有するラベル１００を筐体１ａに貼り付けるだけなので、組立性を大幅に向上させることができる。ディスプレイ７２に不具合が発生した場合にも、ラベル１００を貼り替えるだけなので、保守性も大幅に向上する。
【００２５】
また、ラベル１００のＲＦＩＤ１１０に、ＳＰＣ複合装置１の固有情報を入力、記憶させることも可能である。製造番号、製造日、型式等の情報を予め入力しておき、その情報をリーダライタ１８０或いは専用の外部リーダライタで読取ることにより、保守時に役立てることができる。更に、保守後には、保守の履歴情報を書き込むことも可能である。
【００２６】
なお、ディスプレイ７２が、ＲＦＩＤ１１０を有するラベル１００である場合について説明したが、これに限らず、操作パネル部７０全体をＲＦＩＤ１１０を有するラベル１００で形成することが出来る。すなわち、複数の操作ボタン７６もラベル１００に形成することも可能である。この場合には、ＳＰＣ複合装置１の防水、防滴性能を更に向上させることができる。
【００２７】
本実施形態では、電子機器としてＳＰＣ複合装置１の場合について説明したが、携帯電話、パソコン、腕時計、冷蔵庫、洗濯機等の電子機器であってもよい。これらの電子機器において、簡単な文字、記号、図形及び数字を表示するディスプレイをラベル化することにより、防水、防滴性能を更に向上させることができる。
【００２８】
また、例えばＰＯＳレジスタ等の場合には、１つのリーダライタに対して２つのラベル（ディスプレイ）を設けて、一方を顧客用ディスプレイ、他方を操作者用ディスプレイとすることも可能である。そして、顧客用ディスプレイと操作者用ディスプレイに同一内容の情報を表示してもよいし、異なる内容の情報を表示してもよい。このように、ディスプレイを任意に増減することも可能となる。その場合、リーダライタの動作範囲内であればラベルの設置箇所は自由が利くので見易い最適な位置にラベルを設置する事が出来る。
【図面の簡単な説明】
【００２９】
【図１】ＳＰＣ複合装置１の外観を示した斜視図である。
【図２】ＳＰＣ複合装置１の外観を示した斜視図である。
【図３】ＳＰＣ複合装置１の外観を示した斜視図である。
【図４】ＳＰＣ複合装置１の操作パネル部７０を示す図である。
【図５】ラベル１００を示す平面断面図である。
【図６】ディスプレイ７２（ＥＰＤ１４０）の断面図である。
【図７】ＳＰＣ複合装置１の断面図である。
【符号の説明】
【００３０】
１…ＳＰＣ複合装置（電子機器）、  １ａ…筐体、  ５０…制御基板、  ７０…操作パネル部、  ７２…ディスプレイ（表示部）、  １００…ラベル（情報媒体）、  １１０…ＲＦＩＤ（ＲＦＩＤタグ）、  １４０…ＥＰＤ（電気泳動表示デバイス）、  １８０…リーダライタ（通信部）、Ｄ…表示装置
【図１】
2006134234.tif 000003
【図２】
2006134234.tif 000004
【図３】
2006134234.tif 000005
【図４】
2006134234.tif 000006
【図５】
2006134234.tif 000007
【図６】
2006134234.tif 000008
【図７】
2006134234.tif 000009